(57)【要約】【課題】本発明は、画像処理方法及び画像処理装置に関し、例えばＨＤＴＶアップコンバータに適用して、従来に比して画像歪みの発生を抑圧する。【解決手段】本発明は、動きベクトルＶにより動き補正したフィールド間における差分絶対値の累積値と、動き補正していないフィールド間における差分絶対値の累積値と、動きベクトルＶの値とを判定して、ライン内挿処理（２、５）を切り換える。【選択図】        図１
2004173033.tif 000002
【特許請求の範囲】
【請求項１】
少なくとも動き補正フィールド間ライン内挿処理によるビデオ信号と、フィールド内ライン内挿処理によるビデオ信号とを切り換えて、ビデオ信号を出力する画像処理方法において、
動きベクトルにより動き補正したフィールド間における差分絶対値の累積値と、動き補正していないフィールド間における差分絶対値の累積値と、動きベクトルの値とを判定し、
該判定結果により、前記動き補正フィールド間ライン内挿処理を選択する
ことを特徴とする画像処理方法。
【請求項２】
前記動き補正フィールド間ライン内挿処理の選択は、
前記動きベクトルがほぼ値０の場合で、かつ前記動き補正したフィールド間における差分絶対値の累積値が第１の判定基準値より小さい場合、
又は、前記動きベクトルがほぼ値０でない場合で、かつ前記動き補正したフィールド間における差分絶対値の累積値が、前記動き補正していないフィールド間における差分絶対値の累積値より小さい場合で、かつ前記動き補正したフィールド間における差分絶対値の累積値が第２の判定基準値より小さい場合である
ことを特徴とする請求項１に記載の画像処理方法。
【請求項３】
動きベクトルを検出する動きベクトル検出手段と、
前記動きベクトルにより動き補正してフィールド間ライン内挿処理によるビデオ信号を出力する動き補正フィールド間ライン内挿処理手段と、
フィールド内ライン内挿処理によるビデオ信号を出力するフィールド内ライン内挿処理手段と、
前記動き補正フィールド間ライン内挿処理手段によるビデオ信号、前記フィールド内ライン内挿処理手段によるビデオ信号を選択出力する選択手段と、
前記動きベクトルにより動き補正したフィールド間における差分絶対値の累積値と、動き補正していないフィールド間における差分絶対値の累積値と、前記動きベクトルの値とを判定し、該判定結果により、前記選択手段の動作を制御する制御手段と
を備えることを特徴とする画像処理装置。
【請求項４】
前記制御手段は、
前記動きベクトルがほぼ値０の場合で、かつ前記動き補正したフィールド間における差分絶対値の累積値が第１の判定基準値より小さい場合、
又は、前記動きベクトルがほぼ値０でない場合で、かつ前記動き補正したフィールド間における差分絶対値の累積値が、前記動き補正していないフィールド間における差分絶対値の累積値より小さい場合で、かつ前記動き補正したフィールド間における差分絶対値の累積値が第２の判定基準値より小さい場合に、
前記動き補正フィールド間ライン内挿処理手段によるビデオ信号を選択出力するように、前記選択手段の動作を制御する
ことを特徴とする請求項３に記載の画像処理装置。
【発明の詳細な説明】
【０００１】
【発明の属する技術分野】
本発明は、画像処理方法及び画像処理装置に関し、例えばＨＤＴＶ（Ｈｉｇｈ  Ｄｅｆｉｎｉｔｉｏｎ  Ｔｅｌｅｖｉｓｉｏｎ）アップコンバータに適用することができる。本発明は、動きベクトルにより動き補正したフィールド間における差分絶対値の累積値と、動き補正していないフィールド間における差分絶対値の累積値と、動きベクトルの値とを判定して、ライン内挿処理を切り換えることにより、従来に比して画像歪みの発生を抑圧することができるようにする。
【０００２】
【従来の技術】
従来、例えばＨＤＴＶアップコンバータ等のライン数を増大させる画像処理装置においては、一般に、動画像と静止画像との領域を判別し、静止画像の領域においては、フィールド間ライン内挿処理し、動画像の領域においては、フィールド内ライン内挿処理し、これにより解像度の劣化を防止してライン数を変換するようになされている。
【０００３】
しかしながらこの方法の場合、動きの少ない動画像において、フィールド内ライン内挿処理により解像度が劣化する欠点がある。なおこのような動画像における解像度の劣化は、このような動きの少ない動画像と静止画像とが切り換わる場合に、著しく知覚される。
【０００４】
このため例えば特許第２５１０８７９号、特開平３−２８０６８１号公報等においては、動きベクトルを用いたフィールド間ライン内挿方法が提案されるようになされている。この方法は、検出した動きベクトルを用いて内挿に供するフィールドを動き補正した後、フィールド間ライン内挿するものである。
【０００５】
このような動きベクトルを用いたフィールド間ライン内挿方法による画像処理装置では、動きベクトルにより動画と判定した領域では、所定の評価回路により、動き補正したフィールド間における画素値の差分絶対値の累積値（所定領域における差分絶対値和である）と、動き補正していないフィールドにおける画素値の差分絶対値の累積値とを比較し、この比較結果に基づいて、動きベクトルを用いたフィールド間ライン内挿方法による処理と、フィールド内ライン内挿処理とを切り換えるようになされている。
【０００６】
これに対して動きベクトルにおいては、例えばビデオ信号の高能率符号化処理に適用して、フレーム間符号化処理の効率を向上させるようになされており、またテレビジョン信号のフォーマット変換に適用して、ギクシャクとした動きを滑らかな動きに補正するようになされている。
【０００７】
このような動きベクトルの検出においては、ビデオ信号をｍ画素×ｎライン（ｍ，ｎは整数）による動きベクトルの検出単位にブロック化し、各ブロック毎に動きベクトルを検出するようになされており、例えば特開昭５５−１６２６３号公報、特開昭５５−１６２６８４号公報に開示のパターンマッチング法、特開昭６０−１５８７８６号公報に開示の勾配法、位相相関法等が用いられるようになされている。
【０００８】
【特許文献１】
特許第２５１０８７９号明細書
【特許文献２】
特開平３−２８０６８１号公報
【特許文献３】
特開昭５５−１６２６３号公報
【特許文献４】
特開昭５５−１６２６８４号公報
【特許文献５】
特開昭６０−１５８７８６号公報
【０００９】
【発明が解決しようとする課題】
ところで動きベクトルにおいては、静止画像以外の動画の領域でも値０が検出される場合がある。すなわち例えば動きベクトル検出のブロックサイズに比して、動きのある物体が小さい場合に、動きベクトルが値０により検出される場合がある。また検出エラーにより値０の動きベクトルが検出される場合もある。
【００１０】
また、動きベクトルが値０でない場合でも、動き量が正確に検出されない場合があり、この場合には、連続する動きベクトル検出のブロックで、ランダムな値により動きベクトルが検出される。
【００１１】
これらの場合に、従来の画像処理装置では、動きベクトルを用いたフィールド間ライン内挿処理、通常のフィールド間ライン内挿処理、フィールド内ライン内挿処理を適切に切り換えることが困難になり、却って画像歪みが発生する問題がある。
【００１２】
本発明は以上の点を考慮してなされたもので、従来に比して画像歪みの発生を抑圧することができる画像処理方法、画像処理装置を提案しようとするものである。
【００１３】
【課題を解決するための手段】
かかる課題を解決するため請求項１の発明においては、少なくとも動き補正フィールド間ライン内挿処理によりビデオ信号と、フィールド内ライン内挿処理によるビデオ信号とを切り換えて、ビデオ信号を出力する画像処理方法に適用して、動きベクトルにより動き補正したフィールド間における差分絶対値の累積値と、動き補正していないフィールド間における差分絶対値の累積値と、動きベクトルの値とを判定し、該判定結果により、前記動き補正フィールド間ライン内挿処理を選択する。
【００１４】
また請求項２の発明においては、請求項１の構成において、前記動き補正フィールド間ライン内挿処理の選択は、前記動きベクトルがほぼ値０の場合で、かつ前記動き補正したフィールド間における差分絶対値の累積値が第１の判定基準値より小さい場合、又は、前記動きベクトルがほぼ値０でない場合で、かつ前記動き補正したフィールド間における差分絶対値の累積値が、前記動き補正していないフィールド間における差分絶対値の累積値より小さい場合で、かつ前記動き補正したフィールド間における差分絶対値の累積値が第２の判定基準値より小さい場合であるようにする。
【００１５】
また請求項３の発明においては、画像処理装置に適用して、動きベクトルを検出する動きベクトル検出手段と、前記動きベクトルにより動き補正してフィールド間ライン内挿処理によるビデオ信号を出力する動き補正フィールド間ライン内挿処理手段と、フィールド内ライン内挿処理によるビデオ信号を出力するフィールド内ライン内挿処理手段と、前記動き補正フィールド間ライン内挿処理手段によるビデオ信号、前記フィールド内ライン内挿処理手段によるビデオ信号を選択出力する選択手段と、前記動きベクトルにより動き補正したフィールド間における差分絶対値の累積値と、動き補正していないフィールド間における差分絶対値の累積値と、前記動きベクトルの値とを判定し、該判定結果により、前記選択手段の動作を制御する制御手段とを備えるようにする。
【００１６】
また請求項４の発明においては、請求項３の構成において、前記制御手段は、前記動きベクトルがほぼ値０の場合で、かつ前記動き補正したフィールド間における差分絶対値の累積値が第１の判定基準値より小さい場合、又は、前記動きベクトルがほぼ値０でない場合で、かつ前記動き補正したフィールド間における差分絶対値の累積値が、前記動き補正していないフィールド間における差分絶対値の累積値より小さい場合で、かつ前記動き補正したフィールド間における差分絶対値の累積値が第２の判定基準値より小さい場合に、前記動き補正フィールド間ライン内挿処理手段によるビデオ信号を選択出力するように、前記選択手段の動作を制御するようにする。
【００１７】
請求項１の構成によれば、少なくとも動き補正フィールド間ライン内挿処理によりビデオ信号と、フィールド内ライン内挿処理によるビデオ信号とを切り換えて、ビデオ信号を出力する画像処理方法に適用して、動きベクトルにより動き補正したフィールド間における差分絶対値の累積値と、動き補正していないフィールド間における差分絶対値の累積値と、動きベクトルの値とを判定し、該判定結果により、前記動き補正フィールド間ライン内挿処理を選択することにより、従来に比してより詳細にビデオ信号を判定して、フィールド内ライン内挿処理を選択することができ、これにより従来に比してより適切にライン内挿処理を切り換えて、画像歪みの発生を抑圧することができる。
【００１８】
また請求項２の構成によれば、請求項１の構成において、前記動き補正フィールド間ライン内挿処理の選択は、前記動きベクトルがほぼ値０の場合で、かつ前記動き補正したフィールド間における差分絶対値の累積値が第１の判定基準値より小さい場合、又は、前記動きベクトルがほぼ値０でない場合で、かつ前記動き補正したフィールド間における差分絶対値の累積値が、前記動き補正していないフィールド間における差分絶対値の累積値より小さい場合で、かつ前記動き補正したフィールド間における差分絶対値の累積値が第２の判定基準値より小さい場合であることにより、例えばこれらの場合には、動き補正フィールド間ライン内挿処理を選択し、これら以外の場合には、フィールド内ライン内挿処理等を選択して、各場合に適切な処理を選択することができる。
【００１９】
また請求項３の構成によれば、画像処理装置に適用して、動きベクトルを検出する動きベクトル検出手段と、前記動きベクトルにより動き補正してフィールド間ライン内挿処理によるビデオ信号を出力する動き補正フィールド間ライン内挿処理手段と、フィールド内ライン内挿処理によるビデオ信号を出力するフィールド内ライン内挿処理手段と、前記動き補正フィールド間ライン内挿処理手段によるビデオ信号、前記フィールド内ライン内挿処理手段によるビデオ信号を選択出力する選択手段と、前記動きベクトルにより動き補正したフィールド間における差分絶対値の累積値と、動き補正していないフィールド間における差分絶対値の累積値と、前記動きベクトルの値とを判定し、該判定結果により、前記選択手段の動作を制御する制御手段とを備えることにより、従来に比してより詳細にビデオ信号を判定して、フィールド内ライン内挿処理を選択することができ、これにより従来に比してより適切にライン内挿処理を切り換えて、画像歪みの発生を抑圧することができる。
【００２０】
また請求項４の構成によれば、請求項３の構成において、前記制御手段は、前記動きベクトルがほぼ値０の場合で、かつ前記動き補正したフィールド間における差分絶対値の累積値が第１の判定基準値より小さい場合、又は、前記動きベクトルがほぼ値０でない場合で、かつ前記動き補正したフィールド間における差分絶対値の累積値が、前記動き補正していないフィールド間における差分絶対値の累積値より小さい場合で、かつ前記動き補正したフィールド間における差分絶対値の累積値が第２の判定基準値より小さい場合に、前記動き補正フィールド間ライン内挿処理手段によるビデオ信号を選択出力するように、前記選択手段の動作を制御することにより、例えばこれらの場合には、動き補正フィールド間ライン内挿処理を選択し、これら以外の場合には、フィールド内ライン内挿処理等を選択して、各場合に適切な処理を選択することができる。
【００２１】
【発明の実施の形態】
以下、適宜図面を参照しながら本発明の実施の形態を詳述する。
【００２２】
（１）実施の形態の構成
図１は、本発明の実施の形態に係るフォーマット変換装置を示すブロック図である。このフォーマット変換装置１は、ビデオ信号Ｓ１のライン数を変換してビデオ信号Ｓ２により出力する。なおここでビデオ信号Ｓ１は、輝度信号Ｙ、色差信号Ｒ−Ｙ、Ｂ−Ｙによるコンポーネント信号のディジタルビデオ信号である。この図１に示す構成において、タイミング合わせ用のフレームメモリ等は、記載を省略して示し、また以下においては、これらタイミング合わせ用の構成は、説明を省略する。
【００２３】
このフォーマット変換装置１において、動き補正フィールド間ライン内挿処理部２は、動きベクトルを用いてフィールド間ライン内挿処理を実行する。すなわち動き補正フィールド間ライン内挿処理部２は、動きベクトル検出部３で検出される動きベクトルＶを用いてビデオ信号Ｓ１の連続するフィールドを動き補正する。さらにこの動き補正したフィールドを用いてフィールド間ライン内挿処理を実行し、その処理結果によるビデオ信号を出力する。なおこのようにして出力されるビデオ信号においては、動きベクトルＶが値０の場合、何ら動き補正してないフィールド間ライン内挿処理によるビデオ信号と同一になることは、言うまでもない。
【００２４】
フィールド内ライン内挿処理部５は、フィールド内ライン内挿処理を実行する。すなわちフィールド内ライン内挿処理部５は、動き補正フィールド間ライン内挿処理部２による処理に対応するフィールドについて、連続するラインにおける画素値を荷重加算し、これによりフィールド内ライン内挿処理によるビデオ信号を出力する。なおフィールド内ライン内挿処理においては、例えば最も簡単な方法としては、隣接する２ラインを用いた荷重加算によるものではあるが、この実施の形態では、連続する１０ラインの信号をＦＩＲ（Ｆｉｎｉｔｅ  Ｉｍｐｕｌｓｅ  Ｒｅｓｐｏｎｓｅ  ）フィルタにより処理し、これにより解像度の劣化を軽減するようになされている。
【００２５】
ライン内挿切換部６は、動き補正フィールド間ライン内挿処理部２、フィールド内ライン内挿処理部５から出力されるビデオ信号を動きベクトル評価部７の制御により選択出力する。これらによりこのフォーマット変換装置１では、動きベクトルを用いたフィールド間ライン内挿処理、フィールド内ライン内挿処理による２系統のビデオ信号をビデオ信号Ｓ１から生成し、これらを選択して出力するようになされている。
【００２６】
動きベクトル検出部３は、順次入力されるビデオ信号Ｓ１から輝度信号Ｙを選択的に入力し、動きベクトルＶを検出して出力する。ここでこの動きベクトルの検出においては、ブロックマッチング法等、種々に手法を適用し得るが、この実施の形態では、検出精度が高く、回路規模の小さな勾配法を適用する。
【００２７】
動きベクトル「０」検出部８は、この動きベクトル検出部３で検出した動きベクトルＶを受け、水平方向及び垂直方向の動き量（Ｖｘ及びＶｙ）が値０のとき、動きベクトルＶが値０と判定して判定結果を出力する。
【００２８】
動きベクトル評価部７は、動きベクトル「０」検出部８による判定結果を基準にして、動きベクトル検出部３で検出した動きベクトルＶを評価し、この評価結果に基づいてライン内挿切換部６の動作を制御する。すなわち動きベクトル評価部７は、動きベクトル検出部３で検出される動きベクトルＶを用いてビデオ信号Ｓ１の連続するフィールドを動き補正する。さらに動きベクトル評価部７は、このようにして動き補正したフィールド間で、画素値の差分絶対値和を検出する。またビデオ信号Ｓ１の対応するフィールド間で、画素値の差分絶対値和を検出する。
【００２９】
動きベクトル評価部７は、これらの差分絶対値和を、動きベクトル検出に用いたブロックサイズより小さいブロックを単位にして、動きベクトル検出部３で検出した動きベクトルＶ毎に検出する。この実施の形態では、動きベクトル検出のブロックサイズが８画素×８ラインに設定され、差分絶対値和の検出ブロックが、４画素×２ラインに設定されるようになされている。なお以下において、このように動きベクトルを用いて検出される差分絶対値和を動き補正フィールド間差分の累積値ＭＣ  Ｆと呼び、動きベクトルを用いないで検出される差分絶対値和を動き「０」フィールド間差分の累積値ＭＯ  Ｆと呼ぶ。
【００３０】
動きベクトル評価部７は、値０に近い値で、かつα＜βである２つの判定基準値α、βを用いて、動きベクトルＶが値０の場合、動き補正フィールド間差分の累積値ＭＣ  Ｆが判定基準値α以下の場合（すなわちＶ≒０、ＭＣ  Ｆ≦αの場合である）、動き補正フィールド間ライン内挿処理によるビデオ信号を出力するように、ライン内挿切換部６を制御する。
【００３１】
すなわち動きベクトルＶが値０の場合に、動き補正したフィールド間で差分の累積値ＭＣ  Ｆが小さい場合、この２つのフィールド間においては、対応する画素間で、画素値の変化が小さい場合であり、この場合、動きベクトルは正しく検出され、静止画像の領域であると判断することができる。これによりこの実施の形態では、静止画像に最も適した、この場合、動き補正しないフィールド間ライン内挿処理と等化の動き補正フィールド間ライン内挿処理を選択するようになされている。
【００３２】
これに対して動きベクトルＶが値０の場合であって、動き補正フィールド間差分の累積値ＭＣ  Ｆが判定基準値αより大きい場合（すなわちＶ≒０、ＭＣ  Ｆ＞αの場合である）、フィールド内ライン内挿処理によるビデオ信号を出力するように、ライン内挿切換部６を制御する。
【００３３】
すなわち動きベクトルが値０の場合に、動き補正したフィールド間で差分の累積値ＭＣ  Ｆが大きい場合、例えば動きベクトル検出のブロックサイズに比して、動きのある物体が小さいこと等により、又は検出エラーにより、値０の動きベクトルが検出されたものと判断することができる。これによりこの実施の形態では、この場合、フィールド内ライン内挿処理を選択することにより、画像歪みの発生を抑圧するようになされている。
【００３４】
これに対して動きベクトルＶが値０でない場合であって、動き補正フィールド間差分の累積値ＭＣ  Ｆが動き「０」フィールド間差分の累積値ＭＯ  Ｆ以下で、かつこの動き補正フィールド間差分の累積値ＭＣ  Ｆが判定基準値βより小さい場合（すなわちＶ≒０、ＭＣ  Ｆ≦ＭＯ  Ｆ、ＭＣ  Ｆ＜βの場合）、動きベクトル評価部７は、動き補正フィールド間ライン内挿処理によるビデオ信号を出力するように、ライン内挿切換部６を制御する。
【００３５】
また動きベクトルＶが値０でない場合であって、動き補正フィールド間差分の累積値ＭＣ  Ｆが動き「０」フィールド間差分の累積値ＭＯ  Ｆ以下で、かつこの動き補正フィールド間差分の累積値ＭＣ  Ｆが判定基準値β以上の場合（すなわちＶ≒０、ＭＣ  Ｆ≦ＭＯ  Ｆ、ＭＣ  Ｆ≧βの場合）、動きベクトル評価部７は、フィールド内ライン内挿処理によるビデオ信号を出力するように、ライン内挿切換部６を制御する。
【００３６】
すなわち動きベクトルＶが値０でない場合に、動き補正フィールド間差分の累積値ＭＣ  Ｆが動き「０」フィールド間差分の累積値ＭＯ  Ｆ以下の場合、動き補正フィールド間ライン内挿処理によるビデオ信号の信頼性が高いと判断することができる。しかしながら動き補正フィールド間差分の累積値ＭＣ  Ｆが大きな場合には、動き補正したフィールド間で差異が大きいことにより、動きベクトルが正確に検出されていないと判断することができる。
【００３７】
これにより動きベクトル評価部７は、動きベクトルＶが値０でなく、かつ動き補正フィールド間差分の累積値ＭＣ  Ｆが動き「０」フィールド間差分の累積値ＭＯ  Ｆ以下の場合において、動き補正フィールド間差分の累積値ＭＣ  Ｆが判定基準値βより小さい場合には、動き補正フィールド間ライン内挿処理を選択し、動き補正フィールド間差分の累積値ＭＣ  Ｆが判定基準値β以上の場合には、フィールド内ライン内挿処理を選択し、これによりこの場合も従来に比して画像歪みの発生を抑圧するようになされている。
【００３８】
これに対して動きベクトルＶが値０でない場合であって、動き補正フィールド間差分の累積値ＭＣ  Ｆが動き「０」フィールド間差分の累積値ＭＯ  Ｆより大きい場合、フィールド内ライン内挿処理によるビデオ信号を出力するように、ライン内挿切換部６を制御する。
【００３９】
すなわちこの場合は、動き補正したフィールド間より、何ら動き補正しないフィールド間の方が差異が小さい場合であることにより、動きベクトルの検出エラー、シーンチェンジ等による場合と考えられる。これによりこの実施の形態では、フィールド内ライン内挿処理を選択し、この場合も従来に比して画像歪みの発生を抑圧するようになされている。
【００４０】
（２）実施の形態の動作
以上の構成において、ビデオ信号Ｓ１は、このフォーマット変換装置１において、変換の前後に係るライン数に応じて、順次入力される連続するラインに対して内挿点が設定され、これら内挿点によるライン内挿処理により、ライン数が変換されてビデオ信号Ｓ２に変換されて出力される。
【００４１】
この一連の処理において、ビデオ信号Ｓ１は、動きベクトル検出部３で順次動きベクトルＶが検出され、動き補正フィールド間ライン内挿処理部２で、この動きベクトルＶにより動き補正され、この動き補正されたフィールド間のライン内挿処理である動き補正フィールド間ライン内挿処理によりビデオ信号が生成される。またビデオ信号Ｓ１は、フィールド内ライン内挿処理部５において、フィールド内ライン内挿処理によりビデオ信号が生成される。
【００４２】
フォーマット変換装置１においては、さらに動きベクトル「０」検出部８において、動きベクトルＶが値０か否か判定され、また動きベクトル評価部７において、動きベクトルにより動き補正したフィールド間における差分絶対値の累積値と、動き補正していないフィールド間における差分絶対値の累積値とが検出され、これらの累積値、動きベクトル「０」検出部８による判定結果により、ライン内挿切換部６の動作が切り換えられ、これにより動き補正フィールド間ライン内挿処理によるビデオ信号とフィールド内ライン内挿処理によるビデオ信号とが適宜切り換えられて出力される。
【００４３】
これによりこのフォーマット変換装置１では、従来の動き補正したフィールド間における差分絶対値の累積値と、動き補正していないフィールド間における差分絶対値の累積値とによる判断基準に加えて、動きベクトルの値を判断基準にしてフィールド内ライン内挿処理を選択することができ、これにより従来に比してより適切にライン内挿処理を切り換えて、その分、画像歪みの発生を抑圧することができる。
【００４４】
具体的にこの実施の形態においては、動きベクトルがほぼ値０の場合で、かつ動き補正したフィールド間における差分絶対値の累積値が第１の判定基準値αより小さい場合、また動きベクトルがほぼ値０でない場合で、かつ動き補正したフィールド間における差分絶対値の累積値が、動き補正していないフィールド間における差分絶対値の累積値以下の場合で、かつ動き補正したフィールド間における差分絶対値の累積値が第２の判定基準値βより小さい場合、動き補正フィールド間ライン内挿処理によるビデオ信号が選択され、これにより動きベクトルの検出エラー時等においては、フィールド内ライン内挿処理によるビデオ信号を選択して、画像歪みの発生が抑圧される。
【００４５】
（３）実施の形態の効果
以上の構成によれば、動きベクトルにより動き補正したフィールド間における差分絶対値の累積値と、動き補正していないフィールド間における差分絶対値の累積値と、動きベクトルの値とを判定して、ライン内挿処理を切り換えることにより、従来に比して画像歪みの発生を抑圧することができる。
【００４６】
またこのライン内挿処理の切り換えに係る動き補正フィールド間ライン内挿処理の選択が、動きベクトルがほぼ値０の場合で、かつ動き補正したフィールド間における差分絶対値の累積値が第１の判定基準値αより小さい場合、また動きベクトルがほぼ値０でない場合で、かつ動き補正したフィールド間における差分絶対値の累積値が、動き補正していないフィールド間における差分絶対値の累積値以下の場合で、かつ動き補正したフィールド間における差分絶対値の累積値が第２の判定基準値βより小さい場合であることにより、動きベクトルの検出エラー時等において、フィールド内ライン内挿処理によるビデオ信号を選択して、画像歪みの発生を抑圧することができる。
【００４７】
（４）他の実施の形態
なお上述の実施の形態においては、動き補正フィールド間ライン内挿処理と、フィールド内ライン内挿処理とでビデオ信号を切り換えて出力する場合について述べたが、本発明はこれに限らず、これらに加えて動き補正していないフィールドによるフィールド間ライン内挿処理によるビデオ信号を切り換えて出力するようにしてもよい。
【００４８】
また上述の実施の形態においては、動き補正フィールド間ライン内挿処理部から出力されるビデオ信号と、フィールド内ライン内挿処理部から出力されるビデオ信号とを切り換えて出力する場合について述べたが、本発明はこれに限らず、ライン内挿処理部における処理の切り換えにより、動き補正フィールド間ライン内挿処理によるビデオ信号と、フィールド内ライン内挿処理によるビデオ信号とを切り換えるようにしてもよい。
【００４９】
また上述の実施の形態においては、単に、動きベクトルにより動き補正したフィールド間における差分絶対値の累積値と、動き補正していないフィールド間における差分絶対値の累積値と、動きベクトルの値とによりビデオ信号を切り換える場合について述べたが、本発明はこれに限らず、これらに他の判断基準を組み合わせるようにしてもよい。なおこのような他の判断基準としては、フレーム間差分絶対値をパラメータとする動き検出信号を使用することが考えられ、この動き検出信号により静止画像の領域と判断された場合に、フィールド間ライン内挿処理によるビデオ信号を選択し、これ以外の場合には、上述の実施の形態による判断によりライン内挿処理を切り換えることが考えられる。
【００５０】
また上述の実施の形態においては、ライン数を変換する場合について述べたが、本発明はこれに限らず、併せてフィールド数を変換する場合、さらにはテレビジョン信号のフォーマットを種々に変換する場合等に広く適用することができる。
【００５１】
また上述の実施の形態においては、ハードウエアによる構成に本発明を適用する場合について述べたが、本発明はこれに限らず、コンピュータ、ディジタルシグナルプロセッサによるプログラムの実行によりライン数を変換する場合等にも広く適用することができる。
【００５２】
【発明の効果】
上述のように本発明によれば、動きベクトルにより動き補正したフィールド間における差分絶対値の累積値と、動き補正していないフィールド間における差分絶対値の累積値と、動きベクトルの値とを判定して、ライン内挿処理を切り換えることにより、従来に比して画像歪みの発生を抑圧することができる。
【図面の簡単な説明】
【図１】本発明の実施の形態に係るフォーマット変換装置を示すブロック図である。
【符号の説明】
１……フォーマット変換装置、２……動き補正フィールド間ライン内挿処理部、３……動きベクトル検出部、５……フィールド内ライン内挿処理部、６……ライン内挿切換部、７……動きベクトル評価部、８……動きベクトル「０」検出部
【図１】
2004173033.tif 000003